(57)【要約】【課題】  白黒印刷、およびコピーのみしか行なっていない電子写真方式等のカラーの複写機やプリンタにも、カラーの階調補正が動作することになる。従来の技術で、階調補正は感光ドラムなどにトナー像（パッチ）を形成すると、多くのトナーを使用しながら動作することになる。よって、黒トナーしか使うジョブしか行なっていない複合機やプリンタも、カラートナーを消費してしまうという問題点がある。【解決手段】  カラー画像形成装置において、黒トナーのみ階調補正を行なう白黒制御モードと、黒トナーおよびカラートナーの階調補正を行なうカラー制御モードと、を実行可能であり、少なくとも前記第一の制御モード又は前記第二の制御モードのどちらか一方を選択的に設定可能であり、設定された制御モードを実行する、ことを特徴とする。【選択図】  図９
2008151855.tif 000002
【特許請求の範囲】
【請求項１】
転写材に画像を形成し、
また階調制御用の画像を形成可能な画像形成手段と、
前記階調制御用の画像の濃度を検知する検知手段と、
画像形成直前に前記階調制御用の画像を形成させ、形成した階調制御用の画像に対する前記検知手段の検知結果に基いて画像形成条件を更新し、更新された画像形成条件に基いて画像を形成させることで前記画像形成手段の形成する画像の階調を制御する制御手段と、
を備えたカラー画像形成装置において、
前記制御手段は、黒トナーのみ階調補正を行なう白黒制御モードと、
前記制御手段は、黒トナーおよびカラートナーの階調補正を行なうカラー制御モードと、を実行可能であり、
少なくとも前記第一の制御モード又は前記第二の制御モードのどちらか一方を選択的に設定可能であり、設定された制御モードを実行する、
ことを特徴とするカラー画像形成装置。
【請求項２】
前記請求項１のカラー画像形成装置であって、
前記２つのモードを手動で選択する手動選択手段と、
前記２つのモードを自動で選択する自動選択手段と、
をもつ前記請求項１のカラー画像形成装置。
【請求項３】
前記請求項２のカラー画像形成装置であって、
前記自動選択手段において、自動的にモードを切り替える判断として、参考にする出力履歴の期間を設定する、期間設定手段と、モードを切り替える閾値を設定する、閾値設定手段と、
をもつ前記請求項２のカラー画像形成装置。
【発明の詳細な説明】
【技術分野】
【０００１】
本発明は、階調補正を行なうカラー画像形成装置に関する。
【背景技術】
【０００２】
従来、電子写真方式等のカラーの複写機やプリンタには、白黒の複写機やプリンタでは行われない、種々の制御が行われる（例えば、特許文献１）。カラー画像を形成する場合、通常、イエロー，マゼンタ，シアン，ブラックの４色のトナー像をそれぞれ個別に形成し、これらを最終的に転写材（例えば、紙、透明フィルム）上で重ね合わせ、これらのトナーを混色してフルカラーの画像を得ている。このため各色のトナー像の色のバランスや、相対的な位置の精度によって画像品質が著しく異なる。そして、これら色のバランスや位置を抑制するために様々な制御が投入されている。例えば、画像形成装置外部の温湿度などの環境情報に基づいて最適な現像特性を得るための現像コントラスト電位をあらかじめ設定しておくフィードフォワード制御や、実際に感光ドラムなどにトナー像（パッチ）を形成し、その濃度を検知することで現像特性などを自己診断し画像制御パラメータにフィードバックする階調補正などによって画像品質を向上させるようにしている。
【０００３】
上述の階調補正においては、実際にパッチ等を形成し、それらを検知することによって、画像制御パラメータの設定を更新（画像形成手段による画像形成条件を変更）している。この制御は、画像品質を保つため、電源投入時、スリープ復帰時、一定枚数以上出力した時など、定期的に行なわせるようになっている。
【０００４】
しかし、階調補正動作中は、印刷などの出力ジョブが実行不可であり、かつ階調補正自身に時間がかかるため、ジョブ投入時やジョブ実行時に動作してしまうと、ユーザのジョブを完了するのに時間がかかってしまう。そこで、特開２００５−１７３０４０によると、電源投入時、スリープ復帰時のウォーミングアップ中のときは、ジョブがあるかどうかを確認し、ジョブがある場合は簡略化した階調補正を行うと記載されている。よって、画質を確保しつつ、必要に応じて制御短くすることができる。
【０００５】
また、特開２００５−２７５３７８によると、画像品質に対しての許容度をユーザが設定し、許容度が狭いユーザに対しては通常通りの階調補正を行い広いユーザに対しては、階調制御を短時間で行う、又は行わないと記載されている。よって、ユーザの選択により短時間に画像出力ができる。
【特許文献１】特開平５−３２２７６０号公報
【特許文献２】特開２００５−１７３０４０号公報
【特許文献３】特開２００５−２７５３７８号公報
【発明の開示】
【発明が解決しようとする課題】
【０００６】
上述によると、簡略化した階調補正を行なうことで起動時間短縮、および階調補正時の電力削減が可能となるが、例えば、白黒印刷、およびコピーのみしか行なっていない電子写真方式等のカラーの複写機やプリンタにも、カラーの階調補正が動作することになる。
【０００７】
従来の技術で、階調補正は感光ドラムなどにトナー像（パッチ）を形成すると記述したが、つまり多くのトナーを使用しながら動作することになる。よって、黒トナーしか使うジョブしか行なっていない複合機やプリンターも、カラートナーを消費してしまうという問題点がある。
【課題を解決するための手段】
【０００８】
転写材に画像を形成し、また階調制御用の画像を形成可能な画像形成手段と、前記階調制御用の画像の濃度を検知する検知手段と、画像形成直前に前記階調制御用の画像を形成させ、形成した階調制御用の画像に対する前記検知手段の検知結果に基いて画像形成条件を更新し、更新された画像形成条件に基いて画像を形成させることで前記画像形成手段の形成する画像の階調を制御する制御手段と、を備えたカラー画像形成装置において、前記制御手段は、黒トナーのみ階調補正を行なう白黒制御モードと、前記制御手段は、黒トナーおよびカラートナーの階調補正を行なうカラー制御モードと、を実行可能であり、少なくとも前記第一の制御モード又は前記第二の制御モードのどちらか一方を選択的に設定可能であり、設定された制御モードを実行する、ことを特徴とすることである。
【発明の効果】
【０００９】
本発明により、黒トナーのみの階調補正だけを行なう起動モードがあるため、通常のカラー画像形成装置よりも階調補正で使用するカラートナーの使用量を削減できる。そして、黒トナーのみの階調補正を行なう起動モード設定手段があるので、利用者により起動モードを選択できる。
【００１０】
また、黒トナーのみを階調補正を行なわないのであれば、計７回の中間転写ドラム１３の回転が４回となり、制御時間が３５秒から２０秒となり、１５秒短縮することができる。
【発明を実施するための最良の形態】
【００１１】
以下、図面に沿って、本発明の実施の形態について説明する。なお、各図面において同一の符号を付したものは、同一の構成又は作用をなすものであり、これらについての重複説明は適宜省略する。
【００１２】
図１に、本発明に係る画像形成装置の一例として、実施の形態１に係る画像形成装置を示す。同図に示す画像形成装置は、中間転写体を使用した電子写真方式の４色フルカラーの複写機（以下「画像形成装置」という。）であり、同図はその概略構成を模式的に示す図である。
【００１３】
同図を参照して、画像形成装置全体の構成・動作の概略を説明する。
【００１４】
同図に示す画像形成装置は、画像を形成するプリンタ部Ａと、原稿の画像を読み取るリーダ部Ｂとを備えている。
【００１５】
プリンタ部Ａには、像担持体としてドラム形の電子写真感光体（以下「感光ドラム」という。）１が配設されている。感光ドラムは、画像形成装置本体Ｍによって回転自在に支持されており、駆動手段（不図示）によって矢印Ｒ１方向に所定のプロセススピード（周速度）で回転駆動されるようになっている。
【００１６】
感光ドラム１の周囲には、種々のプロセス機器が配設されている。すなわち感光ドラム１の周囲には、一次帯電器（帯電手段）２、露光装置（露光手段）３、現像装置（現像手段）４、転写装置（転写手段）５、クリーニング装置（クリーニング手段）６が配置されている。一次帯電器（帯電手段）２は、感光ドラム１の回転方向に沿って、感光ドラム１の表面を均一に帯電する。露光装置（露光手段）３は、カラー画像を色分解した光像又はこれに相当する光像を帯電後の感光ドラム１上に照射して、画像の静電潜像を形成する。現像装置（現像手段）４は、感光ドラム１上の静電潜像をトナー像として現像する。転写装置（転写手段）５は、感光ドラム１上のトナー像を転写する。クリーニング装置（クリーニング手段）６は、感光ドラム１表面を清掃する。
【００１７】
感光ドラム１としては、例えば、導電性のアルミニウム基体の表面にＯＰＣ（有機光半導体）感光層が形成したＯＰＣ感光体が使用される。
【００１８】
一次帯電器２は、感光ドラム１表面に接触された帯電ローラと、これに帯電バイアスを印加する帯電バイアス印加電源（不図示）を有している。
【００１９】
露光装置３は、画像情報に応じてオン／オフ制御されるレーザ発信装置１１や発信されたレーザ光を感光ドラム１表面に導く反射ミラー１２を有している。
【００２０】
現像装置４は、固定式現像器４Ａと回転式現像器４Ｂとを備えている。このうち固定式現像器４Ａは、ブラックの現像剤が収納されたブラックの現像器４Ｋによって構成されている。また、回転式現像器４Ｂは、回転自在なロータリ４ａと、これに搭載されるとともにそれぞれイエロー（Ｙ），マゼンタ（Ｍ），シアン（Ｃ）の現像剤が収納された現像器４Ｙ，４Ｍ，４Ｃとによって構成されている。この回転式現像器４Ｂは、ロータリ４ａに回転によって、感光ドラム１上の静電潜像の現像に供される色の現像器が感光ドラム１表面に対向する現像部（現像位置）に配置されて、静電潜像にトナーを付着させてトナー像として現像するようになっている。
【００２１】
転写装置５は、像担持体であり中間転写体としての中間転写ドラム１３と、中間転写ドラム１３における、感光ドラム１に対応する位置に配置された一次転写帯電器１４を有している。感光ドラム１と、中間転写ドラム１３における感光ドラム１に対応する位置との間には、一次転写部Ｔ１が形成され手いる。また、中間転写ドラム１３の下方には、二次転写ローラ１５が配設されている。この二次転写ローラ１５及びローラ１６には、転写ベルト１７が掛け渡されている。中間転写ドラム１３と二次転写ローラ１５との間には、二次転写部Ｔ２が形成されている。中間転写ドラム１３の回転方向（矢印Ｒ１３方向）に沿って一次転写部Ｔ１の下流側かつ二次転写部Ｔ２の上流側に、中間転写ドラム１３上のトナー像の電位を調整する帯電器１８と中間転写ドラム１３上のトナー像の濃度を検知する濃度検知センサ１９がある。濃度検知センサ１９は、例えば、反射式光学センサであり、中間転写ドラム１３表面に対向するように配設されている。また、中間転写ドラム１３の回転方向に沿っての二次転写部Ｔ２の下流側でかつ一次転写部Ｔ１の上流側には、中間転写ドラム１３の表面を清掃するドラムクリーナ２３が配設されている。
【００２２】
クリーニング装置６は、一次転写時に中間転写ドラム１３に転写されないで感光ドラム１表面に残った残留トナーを除去するクリーニングブレード２０を有している。なお、同図に示すクリーニング装置６は、上述の一次帯電器２とともに、ユニット化されている。像担持体として転写材Ｐの搬送方向（矢印Ｋ方向）に沿って二次転写部Ｔ２の上流側には、二次転写部Ｔ２に供給するレジストローラ２１が配設されている。これは、転写材Ｐを収納する給紙カセット（不図示）から搬送されてきた転写材Ｐを中間転写ドラム１３上のトナー像とタイミングを合わせるようにして配設されている。また、転写材Ｐの搬送方向に沿っての二次転写部Ｔ２の下流側には、転写材Ｐ上のトナー像を加熱・加圧して転写材Ｐ上に定着する定着装置（定着手段）２２が配設されている。
【００２３】
リーダ部Ｂは、原稿台ガラス３１と、押圧板３２と、光源３３と、反射ミラー３４と、レンズ３５と、ＣＣＤ３６とを有している。
【００２４】
原稿台ガラス３１には、原稿Ｄが設置される。押圧板３２は、原稿台ガラス３１に原稿Ｄを押圧する。光源３３は、原稿Ｄを照射する。反射ミラー３４は、光源３３から照射されて原稿Ｄで反射された光を反射する。レンズ３５は、反射ミラー３４からの反射光を結像する。ＣＣＤ３６は、レンズ３５からの光が入射される。光源３３から照射され、原稿Ｄによって反射され、反射ミラー３４によって反射され、レンズ３５を通過してＣＣＤ３６に入射された光は、画像処理部３７によって種々の画像処理が行われるようになっている。なお、図１中の符号３８は、画像形成装置本体Ｍの上面に設けられた操作パネルである。
【００２５】
図２に、画像処理部３７のブロック図を示す。画像処理部３７は、Ａ／Ｄ変換部４１、シェーディング補正部４２、ＬＯＧ変換部４４３、マスキングＵＣＲ部４４、ＬＵＴ（ルックアップテーブル）部４５、パルス幅変調部４６を有している。また、パルス幅変調部４６にはパターンジェネレータ４７が接続され、ＬＵＴ部４５には、ＲＯＭ５０，ＲＡＭ５１を有するＣＰＵ４８が接続され、ＬＯＧ変換部４３には外部入力Ｉ／Ｆが接続されている。画像処理部３７から出力された画像信号は、露光装置３のレーザドライバ５３に入力され、レーザドライバ５３は、画像信号に応じて、レーザ発信装置をオン／オフ制御するようになっている。
【００２６】
上述構成の画像形成装置の画像形成動作を簡単に説明する。感光ドラム１は、駆動手段（不図示）によって矢印Ｒ１方向に所定のプロセススピードで回転駆動される。感光ドラム１表面は、一次帯電器２によって、所定の極性・電位に一様に帯電される。帯電後の感光ドラム１表面は、画像情報に基づく露光装置３の露光により、光照射部分の電荷が除去されて静電潜像が形成される。この静電潜像は、１色目（例えば、イエロー）の現像器４Ｙによってイエローのトナー像として現像される。このトナー像は、一次帯電器１４により、一次転写部Ｔ１において中間転写ドラム１３に一次転写される。トナー像転写後の感光ドラム１は、表面に残った残留トナーが、クリーニング装置６によって除去され、次の色の画像形成に供される。
【００２７】
以上の一連の画像形成プロセス、すなわち帯電、露光、現像、転写（一次転写）、クリーニングが、イエロー以外の他の３色であるマゼンタ，シアン，ブラックについても繰り返される。これにより中間転写ドラム１３上で４色のトナー像が重ね合わされる。
【００２８】
中間転写ドラム１３上の４色のトナー像は、中間転写ドラム１３の回転により、二次転写部Ｔ２に到達する。これらのトナー像は、レジストローラ２１により、二次転写部Ｔ２に供給された転写材Ｐに、二次転写ローラ１５により一括で二次転写される。トナー像転写後の中間転写ドラム１３は、転写材Ｐに転写されないで表面に残った残留トナーがドラムクリーナ２３によって除去される。一方、トナー像転写後の転写材Ｐは、定着装置２２により、加熱・加圧されて表面にトナー像が定着された後、機外（画像形成装置本体Ｍ外部）に排出される。これにより、１枚の転写材Ｐに対する４色フルカラーの画像形成が終了する。
【００２９】
本実施の形態における画像形成装置は、フルカラー画像の画像品質、特に色味や階調性を良好に維持するために、以下の順序で画像形成を行なっている。中間転写ドラム１３上に階調制御用の画像である階調パッチ（検出用のトナー像）を作成し、その情報に基づいてγルックアップテーブルを作成（画像形成条件を更新）し、それに基づいて画像形成を行う。
【００３０】
γルックアップテーブルを作成するための階調パッチの制御は以下のように行っている。
【００３１】
階調パッチは各色８パッチずつ形成する。このパッチ形成の画像信号レベル（０〜２５５レベル）はあらかじめ決まっていて、その画像信号に基づいてパッチ形成を行う。各色のパッチは順次、中間転写ドラム１３に転写され、最終色が転写された後、濃度検知センサ１９によって、検知される。濃度検知センサ１９の出力電圧は０〜５Ｖで出力される。出力された電圧は濃度０〜２．０を１０ｂｉｔ（０〜１０２３レベル）になるようにＡ／Ｄ変換される。
【００３２】
この濃度情報に基づいて各色で所望の濃度階調特性をγルックアップテーブルを作成することによって維持し、混色した場合の色のバランスを保っている。
【００３３】
本実施の形態の画像形成装置においては、感光ドラム１のプロセススピードは１１７ｍｍ／ｓｅｃである。また感光ドラム１の直径は６２ｍｍ、中間転写ドラム１３の直径は１８６ｍｍである。階調パッチの形成には、感光ドラム１、中間転写ドラム１３の安定化前処理（制御）のために中間転写ドラム１３を１回転、階調パッチの形成、読み込みのために５回転、感光ドラム１、中間転写ドラム１３のクリーニング等の後処理のために１回転行なう。よって、計７回の中間転写ドラム１３の回転が必要となり、このときの制御時間は３５秒必要となる。
【００３４】
本制御を行うことで、画像の濃度は、目標濃度に対して±０．０５の範囲におさめることが可能である。一方、制御を行わない場合では、前回更新したγルックアップテーブルを用いて画像を形成することで最悪でも±０．２０程度の範囲になっている。前回更新したγルックアップテーブルの情報は格納手段（記憶手段）としてのＲＡＭ５１に格納されており、制御手段であるＣＰＵ４８が格納されている前回のγルックアップテーブルを用いて画像形成を実行させる。
【００３５】
本発明では、階調制御とは画像形成直前にパッチを形成し、形成パッチに基いてγルックアップテーブルの更新を行い、更新されたγルックアップテーブルを用いて画像形成させることを指す。
【００３６】
図３は、図１の画像形成装置のコントローラ部分を示したものである。
【００３７】
図３において、２００は複写機全体である。複写機２００は、ＲＯＭ（２０２）あるいは例えばハードディスクなどの大規模記憶装置（２１０）に記憶されたソフトウェアを実行するＣＰＵ（２０１）を備え、ＣＰＵ（２０１）はシステムバス（２１３）に接続される各デバイスを総括的に制御する。
【００３８】
２０３はＲＡＭで、ＣＰＵ（２０１）の主メモリ、ワークエリア等として機能する。２０５は外部入力コントローラ（ＰＡＮＥＬＣ）で、複写機に備えられた各種ボタンあるいはタッチパネル（２０６）等からの指示入力を制御する。２０７はディスプレイコントローラ（ＤＩＳＰＣ）で、例えば液晶ディスプレイなどで構成される表示モジュール（２０８）の表示を制御する。２０４はネットワークインタフェースカード（ＮＩＣ）で、ＬＡＮ（２１４）を介して、他のネットワーク機器あるいはファイルサーバ等と双方向にデータをやりとりする。Ａは図１のＡと、Ｂも図１のＢと同じであり、エンジンとコントローラはシリアルなどで接続され、通信を行なっている。２１１は不揮発性のメモリで、主に起動初期値やカウンター値を保存する機能を担っている。
【００３９】
以上、本発明の前提事項について概略的に述べたが、以下で具体的な実施方法について図面を用いて説明する。
【００４０】
まず、起動モードを設定するフローについて、図４ないし図６、およびフローチャート図８、図１１、図１２を用いて説明する。
【００４１】
図４は、図２のパネル（２０６）に表示される起動モード方法の選択画面の一例を示した図である。図５は、図２のパネル（２０６）に表示される手動起動モード設定の選択画面の一連を示した図である。図６は、図２のパネル（２０６）に表示される自動起動モード設定における、設定値を入力する画面を示した一連の図である。フローチャート図１１は、起動モード設定の一連の流れを示したフロー図である。フローチャート図１２は、手動起動モード設定の一連の流れを示したフロー図である。フローチャート図８は、自動起動モード設定の一連の流れを示したフロー図である。
【００４２】
まず、Ｓ１１０１において、モード起動設定方法を選択する。
【００４３】
Ｓ１１０１において、手動起動モード（４０２）を選択（Ｓ１１０１のＹ）すると、Ｓ１１０２で手動起動モード設定処理を行なう。
【００４４】
Ｓ１１０１において、自動起動モード（４０１）を選択（Ｓ１１０１のＮ）すると、Ｓ１１０３で自動自動モード設定処理を行なう。
【００４５】
手動起動モード設定処理（Ｓ１１０２）について説明する。
【００４６】
まず、Ｓ１２０１において、起動方法を手動に設定し、不揮発性メモリ（２１１）または大規模記憶装置（２１０）に保存する。
【００４７】
続く、Ｓ１２０２において、起動モードを選択する。
【００４８】
Ｓ１２０２において、白黒モード（５０２）を選択（Ｓ１２０２のＹ）すると、Ｓ１２０３で起動モードを白黒に設定する。
【００４９】
また、Ｓ１２０２において、カラーモード（５０１）を選択（Ｓ１２０２のＮ）すると、Ｓ１２０４で起動モードをカラーに設定する。
【００５０】
自動起動モード設定処理（Ｓ１１０３）について説明する。
【００５１】
まず、Ｓ１３０１において、起動方法を自動に設定し、不揮発性メモリ（２１１）または大規模記憶装置（２１０）に保存する。
【００５２】
続く、Ｓ１３０２において、参考データ期間を設定し、不揮発性メモリ（２１１）または大規模記憶装置（２１０）に保存する。ここでは、モード起動を判断する際に参考にする出力データの履歴期間を６０１および６０２で設定する。６０２はプルダウンになっており、項目として時間、日付、週、月、年等の単位が選択できるようになっている。
【００５３】
続く、Ｓ１３０２において、カラーモード起動の閾値を設定し、不揮発性メモリ（２１１）または大規模記憶装置（２１０）に保存する。ここでは、カラーモードで起動する出力率条件値を６０３で設定する。よって、６０１および６０２で設定した参考期間内に出力したデータのカラー率が、６０３で設定したパーセンテージ以上の場合は、カラーモードで起動することになる。
【００５４】
次に、実際の起動について、図７およびフローチャート図９で説明する。図７は、出力履歴の一例を示した図である。フローチャート図９は、画像形成装置時の階調補正の一連の流れを示したフロー図である。
【００５５】
まず、Ｓ１４０１において、Ｓ１２０１またはＳ１３０１で設定した起動方法の値を調べる。
【００５６】
Ｓ１４０１において、起動方法が手動だった場合（Ｓ１４０１のＹ）、Ｓ１４０２で、Ｓ１２０３またはＳ１２０４で設定した起動モードの値を調べる。
【００５７】
Ｓ１４０２において、起動モードが白黒だった場合（Ｓ１４０２のＹ）、Ｓ１４０３の画像形成装置の起動時に、黒トナーの階調補正のみを行う。
【００５８】
Ｓ１４０２において、起動モードがカラーだった場合（Ｓ１４０２のＮ）、Ｓ１４０４の画像形成装置の起動時に、黒およびカラートナーの両階調補正を行なう。
【００５９】
また、Ｓ１４０１において、起動方法が自動だった場合（Ｓ１４０１のＮ）、Ｓ１４０５で、過去の出力履歴枚数と起動モードの設定値とを比較する。過去の全出力履歴は、不揮発性メモリ（２１１）または大規模記憶装置（２１０）上に、図７のように日時（７０１）、カラー（７０２）および白黒（７０３）の出力枚数として保存されている。Ｓ１３０２で設定した参考出力データ期間分の履歴を取得する。そして、カラー出力枚数÷合計出力枚数の値が、Ｓ１３０３で設定した出力率条件値以上であるかどうかを調べる。
【００６０】
例えば、起動時間が2006年6月22日17時で、Ｓ１３０２で設定した期間が1ヶ月、Ｓ１３０３で設定した値が50％ならば、カラー出力枚数１５、全出力枚数４２であるので、閾値は超えていない（Ｓ１４０６）ことになる。よって、Ｓ１４０３と同様に黒トナーの階調補正だけを行なう。
【００６１】
また、例えば、起動時間が2006年6月22日17時で、Ｓ１３０２で設定した期間が1時間、Ｓ１３０３で設定した値が50％のとき、カラー出力枚数３、全出力枚数３であるので、閾値を超えている（Ｓ１４０７）ことになる。よって、Ｓ１４０４と同様に黒およびカラートナーの階調補正を行なう。
【００６２】
Ｓ１４０３またはＳ１４０７で、黒トナーの階調補正のみで起動した場合、カラージョブを受信したときにカラートナーの階調補正を行なうことになる。
【００６３】
＜実施の形態２＞
本実施の形態に係る画像形成装置の構成は、前述の実施の形態１と同じである。本実施の形態では、ジョブ受信によるスリープ復帰時であることについて、前述の実施の形態１とは異なる。
【００６４】
フローチャート図１０を用いて、ジョブ受信によるスリープ復帰のフローについて説明する。フローチャート図１０は、ジョブ受信によりフリープ状態から復帰するときの一連の流れを示したフロー図である。
【００６５】
まず、Ｓ１５０１において、受信したジョブかカラーかどうか調べる。
【００６６】
Ｓ１５０１において、受信したジョブがカラーである（Ｓ１５０１のＹ）場合、Ｓ１５０２で、黒およびカラートナーの階調補正を行なう。
【００６７】
Ｓ１５０１において、受信したジョブがカラーでない（Ｓ１５０１のＮ）場合、Ｓ１５０３で、黒トナーの階調補正を行なう。
【００６８】
続く、Ｓ１５０４において、通常の起動処理を行い、Ｓ１４０３またはＳ１４０６のステップを処理するのであれば、黒トナーの階調補正はＳ１５０３で行なっているのでスキップする。また、Ｓ１４０４またはＳ１４０７のステップを処理するのであれば、黒トナーの階調補正はＳ１５０３で行なっているのでカラートナーの階調補正のみを行なう。
【図面の簡単な説明】
【００６９】
【図１】実施の形態１の画像形成装置のエンジン部分を模式的に示す図である。
【図２】実施の形態１における画像処理部の構成を示すブロック図である。
【図３】実施の形態１の画像形成装置のコントローラ部分を模式的に示す図である。
【図４】起動モード設定画面の一例を示す模式図である。
【図５】手動起動モード設定画面の一例を示す模式図である。
【図６】自動起動モード設定画面の一例を示す模式図である。
【図７】出力履歴の一例を示す図である。
【図８】自動起動モード設定の一連の流れを示したフローチャート図である。
【図９】画像形成装置時の階調補正の一連の流れを示したフロー図である。
【図１０】ジョブ受信によりフリープ状態から復帰するときの一連の流れを示したフローチャート図である。
【図１１】起動モード設定の一連の流れを示したフローチャート図である。
【図１２】手動起動モード設定の一連の流れを示したフローチャート図である。
【図１】
2008151855.tif 000003
【図２】
2008151855.tif 000004
【図３】
2008151855.tif 000005
【図４】
2008151855.tif 000006
【図５】
2008151855.tif 000007
【図６】
2008151855.tif 000008
【図７】
2008151855.tif 000009
【図８】
2008151855.tif 000010
【図９】
2008151855.tif 000011
【図１０】
2008151855.tif 000012
【図１１】
2008151855.tif 000013
【図１２】
2008151855.tif 000014